(57)【特許請求の範囲】
【請求項１】
近隣にある周辺機器群の機能を含む自端末の能力を能力情報として通信サービスに利用することが可能な通信端末であって、
ネットワークを介して接続された相手端末の能力情報または能力情報変更を蓄積する手段と、
近距離無線の電波状況を監視し、前記周辺機器群の構成の変化を検出する近距離無線送受信部と、
前記近距離無線送受信部が前記周辺機器群の構成の変化を検出した場合に、前記周辺機器群の構成の変更に伴う自端末の能力情報の変化を検知し、前記自端末の能力情報の変化を能力情報変更として前記相手端末に通知する手段と、
前記自端末または相手端末の能力情報変更に伴い、自端末の能力情報と前記相手端末の能力情報から、前記相手端末との間で利用可能な通信サービスを決定する手段と、
前記相手端末との間で利用可能な通信サービスをユーザに提示する手段と、
を備える通信端末。
【請求項２】
前記能力情報は、端末が使用可能なコーデックやアプリケーションの種別、また、画面サイズやＣＰＵ速度を含むデバイス能力に関する情報、の少なくとも１つを含む請求項１記載の通信端末。
【請求項３】
使用可能な周辺機器の能力の変更を検出する手段を備える請求項１記載の通信端末。
【請求項４】
自端末および相手端末の能力情報から自端末および相手端末の共通の能力を判断し、前記共通の能力を通信サービスとする手段を備える請求項１記載の通信端末。
【請求項５】
前記相手端末から前記能力情報変更を受信する手段と、
前記能力情報変更を受信した場合に、自端末の能力情報と前記相手端末の能力情報から、前記相手端末との間で利用可能な通信サービスを決定する手段と、
を備える請求項１記載の通信端末。
【請求項６】
前記相手端末に対する前記能力情報変更通知の通知形態を制御する通知形態制御手段を備える請求項１記載の通信端末。
【請求項７】
前記通知形態制御手段は、通知の可否を判断する請求項６記載の通信端末。
【請求項８】
前記通知形態制御手段は、能力情報に対する優先度情報を付与して通知する請求項６記載の通信端末。
【請求項９】
前記通知形態制御手段は、能力情報に対する利用予約を付与して通知する請求項６記載の通信端末。
【請求項１０】
近隣にある周辺機器群の機能を自端末の能力として通信に利用することが可能な通信端末が、ネットワークを介して通信を行っている相手端末との間で利用可能な通信サービスを決定する方法であって、
前記相手端末の能力情報を蓄積するステップと、
近距離無線の電波状況を監視し、前記周辺機器群の構成の変化を検出するステップと、
前記周辺機器群の構成の変化を検出した場合に、自端末の能力情報の変化を検知し、前記周辺機器群の構成の変更に伴って自端末の能力情報が変化した場合に、これを能力情報変更として前記相手端末に通知するステップと、
前記周辺機器群の構成の変更に伴って自端末の能力情報が変化した場合に、前記相手端末との間で利用可能な通信サービスを決定するステップと、
を備えた通信サービス決定方法。
【請求項１１】
前記相手端末から前記能力情報変更を受信するステップと、
前記能力情報変更を受信した場合に前記相手端末との間で利用可能な通信サービスを決定するステップと、
を備えた請求項１０記載の通信サービス決定方法。
【発明の詳細な説明】
【技術分野】
【０００１】
本発明は、通信端末間で実現可能なサービスを決定するための技術に関する。
【背景技術】
【０００２】
近年、家庭電化製品やパーソナル・コンピュータ等様々な周辺機器がネットワークへ接続されるようになってきている。また、Ｂｌｕｅｔｏｏｔｈ（登録商標）やＵＷＢ（Ｕｌｔｒａ  ＷｉｄｅＢａｎｄ）等の近距離無線技術の発達に伴い、ユーザの持つ携帯電話・ＰＤＡ等のモバイル端末と周辺機器が無線により接続され、ユーザは自分の近隣にあるこれらの周辺機器を簡単に利用することが可能になると考えられる。
【０００３】
モバイル端末と、その近隣にある周辺機器群が近距離無線により接続されたネットワークはＰＡＮ（Ｐｅｒｓｏｎａｌ  Ａｒｅａ  Ｎｅｔｗｏｒｋ）と呼ばれる。モバイル端末とそのＰＡＮ内にある周辺機器群を連携させることで、ユーザにとってより利便性の高いサービスを実現することが出来る。例えば、ディスプレイとしてモバイル端末の小さな画面の代わりにＰＡＮ内にある大型テレビを利用したテレビ電話等を実現することが可能となる。
【０００４】
一方、ある端末間で通信を確立する場合、お互いの端末の能力に関する情報（能力情報）を交換し、どの能力を用いて通信を行うか、つまり両者間でどういったサービスを実現するかを決定する。一般的にこの手続きは、能力交換（Ｃａｐａｂｉｌｉｔｙ  Ｅｘｃｈａｎｇｅ）と呼ばれる。能力交換において交換される能力情報の種類としては、その端末が使用可能なコーデックやアプリケーションの種別、また、画面サイズやＣＰＵ速度等のデバイス能力に関する情報等が考えられる。例えば、能力情報として音声や動画のコーデックの種別を交換した場合には、交換された能力情報の中から使用するコーデックが１つ若しくは複数決定され、このコーデックを使ったメディアストリームの送受信が端末間のサービスとして実現される。
【０００５】
モバイル端末がＰＡＮを構成する周辺機器を利用した通信サービスを実現する場合、自端末の能力情報に加えて、ＰＡＮ内にあって利用可能な周辺機器群の能力情報も合わせて通信相手と能力交換を行い、実現するサービス・使用する機器を決定する必要がある。
【０００６】
非特許文献１に記された技術では、能力交換を行う端末が自端末の能力情報だけでなく、そのＰＡＮ内の周辺機器の能力情報も含めて通信相手との能力交換を行うことにより、適切な機器を選択して、通信を開始する若しくは切り替えることが可能となる。
【０００７】
【非特許文献１】「ユビキタスリソース環境におけるＳＩＰを利用したリソース選択・切替機構の実装と評価」  2004年3月、今井尚樹、磯村学、堀内浩規、情報処理学会第６６回全国大会、３Ｈ−４，３−２１９ページ
【発明の開示】
【発明が解決しようとする課題】
【０００８】
しかしながら、上記従来の技術にあっては、実現するサービスを決定するための能力交換を行う際にしか相手の能力情報を取得することができない。そのため、ユーザの移動等に伴って、自端末若しくは通信相手が使用可能な周辺機器、つまりＰＡＮを構成する周辺機器の構成が変化し、それにより両者間で新たなサービスが実現可能になったとしても、その時点でお互いがこの周辺機器の構成の変化を認識することができない。そのためユーザに対して適切なタイミングで新たなサービスが選択可能であることを提示することができないという課題があった。
【０００９】
（例１：双方がコーデックＢにより通信できる場合）
例として、通信端末１と通信端末２がコーデックＡを使用して通信を行っている時に、両通信端末を保持するユーザがそれぞれ移動し、それに伴って双方のＰＡＮを構成する周辺機器が変化して、両通信端末が共にコーデックＢによる通信が可能になった場合を考える。
【００１０】
この場合、通信端末１と通信端末２は、それぞれ相手がコーデックＢを能力として持つ周辺機器の使用が可能になったことを、即時に認識することができない。そのため通信端末１と通信端末２のユーザは、コーデックＢによる通信を新たなサービスとして選択することができない。
【００１１】
（例２：一方がコーデックＢを使用できない場合）
相手がコーデックＢの使用が可能かどうかを知らずに、自身がコーデックＢを使用可能になった時点でコーデックＢを用いた通信への切替をユーザが選択した場合を考える。この場合、相手がコーデックＢを使用不可能なために能力交換が失敗に終わり、ユーザの選択動作や能力交換を行うための処理が無駄に終わる可能性がある。
【００１２】
（例３：能力交換時に既に相手の能力情報が変化している場合）
実際に能力交換を行った時、既に相手の能力情報が変化していた場合を考える。この場合、能力交換によるサービスの決定に失敗したり、能力交換をやり直すために切替完了までの遅延が発生する可能性がある。
【００１３】
例として通信開始時点でアプリケーションＡ、Ｂ、Ｃを使用可能な通信端末１と、アプリケーションＡ、Ｂを使用可能な通信端末２が能力交換を行い、アプリケーションＡを使用することを決定して通信を開始した場合を考える。
【００１４】
（Ａ：通信端末２がアプリケーションＢを使用できなくなった場合）
この通信開始後に通信端末１のユーザが、アプリケーションＢを使用した通信に切り替えるよう通信端末１に指示し、通信端末１が通信端末２と再度能力交換を行ったとする。すると、通信端末２は既に移動して使用可能な周辺機器が変化しており、アプリケーションＢが使用不可能になっている場合が考えられる。この場合、能力交換によるサービスの決定は失敗に終わり、ユーザの選択動作は無駄になってしまう。
【００１５】
（Ｂ：通信端末２がアプリケーションＣを使用できるようになった場合）
また逆に、通信端末１がアプリケーションＢによる通信への切替を行うための能力交換を開始した時点で、通信端末２がアプリケーションＣを使用可能になっている場合も考えられる。
【００１６】
この場合、もしこの時の能力交換により、通信端末２が新たにアプリケーションＣによる通信が可能であることが分かったとしても、通信端末１はこの能力交換後に再度ユーザにアプリケーションＣによる通信が選択可能であることを提示する必要がある。
【００１７】
ここでユーザがアプリケーションＣによる通信を選択したとする。この場合、通信端末１は通信端末２と再度能力交換を行う必要がある。つまり、前回アプリケーションＢによる通信を選択したユーザの動作と、その後の能力交換手続きが無駄となってしまう。そして、最終的な切替完了までの遅延を生じる結果となってしまう。
【００１８】
本発明は、上記従来の事情に鑑みてなされたものであって、通信相手端末との間で新たなサービスが実現可能となった場合に、即時にユーザへこのサービスの選択を提示することができる通信端末および通信サービス決定方法を提供することを目的としている。
【課題を解決するための手段】
【００１９】
本発明の通信端末は、近隣にある周辺機器群の機能を含む自端末の能力を能力情報として通信サービスに利用することが可能な通信端末であって、ネットワークを介して接続された相手端末の能力情報または能力情報変更を蓄積する手段と、前記周辺機器群の構成の変更に伴う自端末の能力情報の変化を検知し、前記自端末の能力情報の変化を能力情報変更として前記相手端末に通知する手段と、前記自端末または相手端末の能力情報変更に伴い、自端末の能力情報と前記相手端末の能力情報から、前記相手端末との間で利用可能な通信サービスを決定する手段と、前記相手端末との間で利用可能な通信サービスをユーザに提示する手段と、を備える。
【００２０】
上記構成によれば、新たな通信サービスが利用可能となったときにユーザは即座にその通信サービスへの切替を選択することができる。また、利用可能な通信サービスの変更の発生を相手端末側に即時に把握させることができる。
【００２１】
また、本発明の通信端末は、前記能力情報が、端末が使用可能なコーデックやアプリケーションの種別、また、画面サイズやＣＰＵ速度を含むデバイス能力に関する情報、の少なくとも１つを含むものである。また、本発明の通信端末は、近距離無線により定期的に周辺機器群を探索し、周辺機器群の構成の変化を検出する手段を備える。また、本発明の通信端末は、近距離無線の電波状況を監視し、周辺機器群の構成の変化を検出する手段を備える。また、本発明の通信端末は、ＧＰＳによる位置情報を監視し、周辺機器群の構成の変化を検出する手段を備える。また、本発明の通信端末は、使用可能な周辺機器の能力の変更を検出する手段を備える。また、本発明の通信端末は、自端末および相手端末の能力情報から自端末および相手端末の共通の能力を判断し、前記共通の能力を通信サービスとする手段を備える。また、本発明の通信端末は、新たに確立可能なサービスをユーザへ提示するか否かを設定に応じて決定する手段を備える。また、本発明の通信端末は、前記相手端末から前記能力情報変更を受信する手段と、前記能力情報変更を受信した場合に、自端末の能力情報と前記相手端末の能力情報から、前記相手端末との間で利用可能な通信サービスを決定する手段と、を備える。
【００２２】
また、本発明の通信端末は、前記相手端末に対する能力情報変更の通知形態を制御する通知形態制御手段を備える。また、本発明の通信端末は、前記通知形態制御手段が、通知の可否を判断するものである。また、本発明の通信端末は、前記通知形態制御手段が、能力情報に対する優先度情報を付与して通知するものである。また、本発明の通信端末は、前記通知形態制御手段が、能力情報に対する利用予約を付与して通知するものである。
【００２３】
上記構成によれば、相手端末に対する能力情報変更の通知形態を制御する通知形態制御手段を備えることにより、種々の形態で通知することが可能となり、前記相手端末が行うサービスの決定において、よりユーザの意思を反映させることができる。
【００２４】
また、本発明の通信サービス決定方法は、近隣にある周辺機器群の機能を自端末の能力として通信に利用することが可能な通信端末が、ネットワークを介して通信を行っている相手端末との間で利用可能な通信サービスを決定する方法であって、前記相手端末の能力情報を蓄積するステップと、前記周辺機器群の構成の変更に伴って自端末の能力情報が変化した場合に、これを能力情報変更として前記相手端末に通知するステップと、前記周辺機器群の構成の変更に伴って自端末の能力情報が変化した場合に、前記相手端末との間で利用可能な通信サービスを決定するステップと、を備える。
【００２５】
さらに、本発明の通信サービス決定方法は、前記相手端末から前記能力情報変更を受信するステップと、前記能力情報変更を受信した場合に前記相手端末との間で利用可能な通信サービスを決定するステップと、を備える。
【発明の効果】
【００２６】
本発明によれば、新たな通信サービスが利用可能となったときにユーザは即座にその通信サービスへの切替を選択することができる。また、利用可能な通信サービスの変更の発生を相手端末側に把握させることができる。
【発明を実施するための最良の形態】
【００２７】
以下、本発明の実施の形態を図面により説明する。図１は、本発明の実施の形態を適用したシステムの構成を示す図である。図１に示されるシステムは、網４００に接続された通信端末１００ａと通信端末１００ｂ、および周辺機器Ｂ２００ａ、周辺機器Ｃ３００ａ、周辺機器Ｂ２００ｂ、周辺機器Ｃ３００ｂを備える。
【００２８】
以下、通信端末１００ａと通信端末１００ｂを総称して通信端末１００と呼ぶ。また、周辺機器Ｂ２００ａと周辺機器Ｃ３００ａ、周辺機器Ｂ２００ｂ、周辺機器Ｃ３００ｂを総称して単に周辺機器と呼ぶ。
【００２９】
本実施の形態の通信端末１００は、携帯電話やＰＤＡなどのモバイル端末を想定している。本実施の形態の通信端末１００は、無線若しくは有線により網４００に接続されている。各通信端末１００及び周辺機器は、網４００を介した通信手段以外に、近距離無線による通信手段を備える。これにより通信端末１００とその近隣にある周辺機器が接続され、ＰＡＮを構成する。
【００３０】
ＰＡＮは、通信端末の移動により変化する、図１では通信端末１００ａの移動に伴いＰＡＮ１からＰＡＮ２へ、通信端末１００ｂの移動に伴いＰＡＮ３からＰＡＮ４、ＰＡＮ５へと変化することが示されている。本実施の形態の開始時点では、通信端末１００ａはＰＡＮ１に、通信端末１００ｂはＰＡＮ３にあり、両方とも近隣に周辺機器がないため、単独でＰＡＮを構成している。
【００３１】
本実施の形態では、通信端末１００ａと通信端末１００ｂの間のセッション制御を行うプロトコルとしてＳＩＰ（Ｓｅｓｓｉｏｎ  Ｉｎｉｔｉａｔｉｏｎ  Ｐｒｏｔｏｃｏｌ）を用いる。
【００３２】
図２は、通信端末１００の構成を示す図である。通信端末１００は、ユーザからの入力を受け付ける入力部１０１と、ユーザに対して情報を出力する出力部１０２と、携帯電話網やＷＬＡＮ等の無線網若しくは有線ＬＡＮに接続するためのネットワーク送受信部１０９と、近距離無線を用いて近隣にある周辺機器と通信するための近距離無線送受信部１０８と、全体を制御する全体制御部１０４とを備える。
【００３３】
近距離無線としては、例えば、Ｂｌｕｅｔｏｏｔｈ（登録商標）やＩｒＤＡ（Ｉｎｆｒａｒｅｄ  Ｄａｔａ  Ａｓｓｏｃｉａｔｉｏｎ）、ＵＷＢ（Ｕｌｔｒａ  ＷｉｄｅＢａｎｄ）などを用いることができる。
【００３４】
入力部１０１は、ユーザからの指示、および音声や動画等のメディアストリームの入力を受け付ける機能を有する。入力部１０１は、ハードウェア的には、マウス、ボタン等のユーザからの入力を受け付けるデバイス、およびカメラやマイクなどのメディアの入力を受け付けるデバイスによって構成される。
【００３５】
出力部１０２は、音声や動画、テキストデータ等の情報の出力を行う機能を有する。出力部１０２は、ハードウェア的には、ディスプレイデバイスやスピーカ、ＬＥＤ等によって構成される。
【００３６】
入力部１０１および出力部１０２は、デバイス制御部１０３に接続されている。デバイス制御部１０３は、入力部１０１から入力された情報を全体制御部１０４へ通知する機能を有する。また、デバイス制御部１０３は、全体制御部１０４から通知された情報を出力部１０２によって出力させる機能を有する。
【００３７】
ネットワーク送受信部１０９は、全体制御部１０４からの指示を受け、通信相手である通信端末１００や周辺機器との間で網４００を介したパケットの送受信を行う機能を有する。
【００３８】
近距離無線送受信部１０８は、近距離無線を用いて近隣にある周辺機器の存在を検知し全体制御部１０４へ通知する機能を有する。また、近距離無線送受信部１０８は、全体制御部１０４からの指示を受け近距離無線を用いてＰＡＮ内の周辺機器へ情報を送信する機能を有する。さらに、近距離無線送受信部１０８は、ＰＡＮ内の周辺機器から近距離無線により情報を受信すると、その情報を全体制御部１０４に通知する機能を有する。本実施の形態では、近距離無線送受信部１０８を介して、ＰＡＮ内の周辺機器へのサービス探索メッセージの送信と、これに対する周辺機器からの応答の受信を行う。
【００３９】
図６は、通信端末１００の自端末情報１０５に記憶されたデータの例を示す図である。
自端末情報１０５には、通信端末１００のＩＰアドレスとＳＩＰアドレス、通信端末１００の能力情報が記憶されている。能力情報には、使用できるコーデックやアプリケーションの種別等を示す使用可能能力や、画面サイズ、解像度、ＣＰＵ処理能力等の端末のデバイス性能に関する情報が含まれる。本実施の形態では、能力情報として使用可能能力のみを扱って説明を行う。
【００４０】
図７は、通信端末１００の周辺機器情報１０６に記憶されたデータの例を示す図である。周辺機器情報１０６には、通信端末１００が構成しているＰＡＮ内にある周辺機器（通信圏内にある周辺機器）の情報として、周辺機器の名前とＩＰアドレス、その機器の能力情報が記憶されている。
【００４１】
図７では、能力情報として、使用できるコーデックやアプリケーションの種別等を示す使用可能能力が記憶されている。本実施の形態の開始時点では、通信端末１００ａ、通信端末１００ｂともにＰＡＮ内に周辺機器はないため、周辺機器情報１０６には何も記憶されていない。
【００４２】
図８は、通信端末１００のセッション情報１０７に記憶されたデータの例を示す図である。セッション情報１０９には、通信端末１００が行っているセッションに関する情報として、セッションを確立している通信先のＩＰアドレスとＳＩＰアドレス、およびそのセッションにおいて使用されているコーデックやアプリケーション等の種別を示すセッション使用能力が記憶されている。またセッション開始時のＳＩＰメッセージの交換において行われた能力交換で取得した相手の能力情報として、相手使用可能能力が記憶されている。
【００４３】
全体制御部１０４は、通信端末１００全体を制御する機能を有する。全体制御部１０４は、他端末とのセッション確立若しくはセッション更新時に行われる能力交換で取得した、通信相手端末の能力情報をセッション情報１０７に蓄積する手段を有する。また、全体制御部１０４は、自身の移動によりＰＡＮを構成する周辺機器が変化し、それに伴い自身の能力情報が変わった場合に、その内容である能力情報変更通知（通信圏内にある周辺機器の変更の発生）を通信相手端末へ通知する手段を有する。さらに、全体制御部１０４は、自身の移動により自身の能力情報が変わった場合（周辺機器の変更が発生した場合）、若しくは通信相手端末からの能力情報変更通知を受け取った場合（通信相手端末の通信圏内にある周辺機器の変更の発生を受信した場合）に、新たに通信相手端末との間で利用可能なサービスを決定する手段を有する。
【００４４】
次に、本発明の実施の形態にかかる通信システムの動作について、図３〜図５のシーケンスを用いて説明する。以下の説明では、通信端末１００ａを保持するユーザをユーザ１、通信端末１００ｂを保持するユーザをユーザ２と呼ぶ。また、周辺機器Ｂ２００ａと周辺機器Ｂ２００ｂは能力Ｂを、周辺機器Ｃ３００ａと周辺機器Ｃ３００ｂは能力Ｃをそれぞれ使用可能であるものとする。
【００４５】
通信端末１００ａと１００ｂは、近距離無線により定期的に周辺機器群を探索するためのサービス探索をそれぞれ行う。通信端末１００ａと１００ｂは、このサービス探索の結果としてＰＡＮを構成する周辺機器群の構成の変化、つまり自身の使用可能能力が変化していることを検知する。そして、通信端末１００ａと１００ｂは、新たにＰＡＮに加わった周辺機器のアドレスや使用可能能力等の能力情報を取得する。
【００４６】
図３〜図５のシーケンスでは、ＰＡＮの変化を検知した時のサービス探索のみが示されている。しかし、実際には、このシーケンスに含まれないサービス探索、つまり前回サービス探索を行ったときからＰＡＮを構成する機器が変化していない状態でサービス探索が行われていても良い。
【００４７】
サービス探索を行う周期は、通信端末１００の全体制御部１０４が、あらかじめ設定されている間隔に従って決定してもよい。また、何らかのトリガ、例えばＧＰＳによる位置情報の変化の取得や、近距離無線送受信部１０８における近距離無線の電波状況監視による周辺機器の存在の検知、またユーザの指示等により行われても良い。
【００４８】
（ユーザ１がＰＡＮ１に存在し、ユーザ２がＰＡＮ３に存在する場合）
図３に示すように、本実施形態の開始時点で、通信端末１００ａは、通信端末１００ｂとＳＩＰによるセッションを確立している（Ｓ１０１）。また、本実施の形態では、この時点で通信端末１００ａと通信端末１００ｂは共に使用可能能力として能力Ａを持っており、これを使ったサービスを確立している。
【００４９】
能力Ａが音声や動画のコーデックである場合には、このコーデックを用いたメディアストリームの交換若しくは片方向への配信が行われる。能力Ａがアプリケーションの種別や名称を示す場合には、テレビ電話やチャット、画面共有等のアプリケーションによる通信となり、メディアストリームやテキストデータ、アプリケーション特有のデータ等の交換が行われる。
【００５０】
通信端末１００ａと通信端末１００ｂはそれぞれ、セッション情報１０７の相手使用可能能力に、このセッション確立時に行った能力交換で取得した「能力Ａ」を格納している。
【００５１】
（ユーザ１がＰＡＮ１に存在し、ユーザ２がＰＡＮ４へ移動した場合）
この状態から、ユーザ２（通信端末１００ｂ）が移動を行う（Ｓ１０２）。その移動の後に行われたサービス探索（Ｓ１０３、Ｓ１０４）により、通信端末１００ｂの全体制御部１０４は、近距離無線送受信部１０８を介してＰＡＮを構成する機器が変化して周辺機器Ｂ２００ｂが使用可能になったことを検知する。
【００５２】
図１では、このユーザ２の移動とＰＡＮの変化が、通信端末１００ｂのＰＡＮ３からＰＡＮ４への移動として示されている。通信端末１００ｂの全体制御部１０４は、この時のサービス探索により取得した周辺機器Ｂ２００ｂのアドレスや使用可能能力を含む能力情報を、周辺機器情報１０６に格納する。また、通信端末１００ｂの全体制御部１０４は周辺機器Ｂ２００ｂを利用することにより使用可能となる能力を自端末情報１０５の使用可能能力に追加格納する。
【００５３】
これにより、通信端末１００ｂの使用可能能力が「能力Ａ」から「能力Ａ、能力Ｂ」に変化するため、通信端末１００ｂの全体制御部１０４は、通信端末１００ａとの間で新たに確立可能となるサービスを決定する（Ｓ１０５）。この時点で、通信相手である通信端末１００ａの使用可能能力が「能力Ａ」である。これにより、通信端末１００ｂの全体制御部１０４は、現在確立している能力Ａによるサービス以外に、新たに通信端末１００ａとの間で確立可能なサービスはないと判断する。そのため、通信端末１００ｂの全体制御部１０４は、デバイス制御部１０３及び出力部１０２を介したユーザ２へのサービスの切替選択の提示を行わず、通信端末１００ａへ自身の能力情報が変化したことを通知するための能力情報変更通知をネットワーク送受信部１０９を介して送信する（Ｓ１０６）。
【００５４】
この能力情報変更通知では、前回通信端末１００ａとの間で能力交換を行った際、若しくは前回通信端末１００ａへ能力情報変更通知を送信した際に通知した能力情報との差分のみを通知しても良いし、改めて全ての能力情報を通知しても良い。
【００５５】
本実施の形態の場合は、能力情報変更通知では差分のみを通知することとし、この能力情報変更通知に含まれるデータの例を図９に示す。図９では、前回からの差分として、通信端末１００ｂが能力Ｂを新たに使用可能となったことが「追加能力」に示されている。
ここでは使用不可能になった能力はないため、図９の「削除能力」には能力が記されていない。もしある場合には、「削除能力」にその能力が記され、「追加能力」と共に能力情報変更通知として通信端末１００ａへ送信される。
【００５６】
通信端末１００ｂからの能力情報変更通知をネットワーク送受信部１０９を介して受信した通信端末１００ａの全体制御部１０４は、この通知に含まれる情報が能力の追加と削除のどちらであるかを判断する。この場合は能力の追加であるため、通信端末１００ａの全体制御部１０４はこれをセッション情報１０７に格納する。ここでは、通信端末１００ａのセッション情報１０７中の、相手使用可能能力が「能力Ａ」から「能力Ａ、能力Ｂ」に変更される。
【００５７】
そして通信端末１００ａの全体制御部１０４は、この能力情報変更通知により通信端末１００ｂの能力情報が変化したことが分かるため、通信端末１００ｂとの間で確立可能な新たなサービスの候補を決定する（Ｓ１０７）。ここでは、現在使用している能力Ａ以外に新たに通信端末１００ｂとの間で確立可能なサービスはないと判断する。したがって、通信端末１００ａの全体制御部１０４は、デバイス制御部１０３及び出力部１０３を介したユーザ１へのサービスの切替の提示を行わない。
【００５８】
（ユーザ１がＰＡＮ２へ移動し、ユーザ２がＰＡＮ４に存在する場合）
次に、ユーザ１（通信端末１００ａ）が移動を行う（Ｓ１０８）と、その移動の後に行われたサービス探索（Ｓ１０９、Ｓ１１０）により、通信端末１００ａは、ＰＡＮを構成する機器が変化して周辺機器Ｂ２００aと周辺機器Ｃ３００ａが使用可能になったことを検知する。
【００５９】
図１では、このユーザ１の移動とＰＡＮの変化が、通信端末１００ａのＰＡＮ１からＰＡＮ２への移動として示されている。通信端末１００ａの全体制御部１０４は、この時のサービス探索により近距離無線送受信部１０８を介して取得した周辺機器Ｂ２００ａと周辺機器Ｃ３００ａのアドレスや使用可能能力を含む能力情報を、周辺機器情報１０６に格納する。また、通信端末１００ａの全体制御部１０４は、周辺機器Ｂ２００ａと周辺機器Ｃ３００ａを利用することにより使用可能となる能力を自端末情報１０５の使用可能能力に追加格納する。
【００６０】
これにより、通信端末１００ａの使用可能能力が「能力Ａ」から「能力Ａ、能力Ｂ、能力Ｃ」に変化するため、通信端末１００ａの全体制御部１０４は通信端末１００ｂとの間で新たに確立可能となるサービスを決定する。
【００６１】
この時点で通信端末１００ａの使用可能な能力は「能力Ａ、能力Ｂ」であることがセッション情報１０７から分かるため、通信端末１００ａの全体制御部１０４は通信端末１００ｂとの間で新たに能力Ｂによるサービスを確立することが可能になったと判断し、このサービスへの切替を行うかどうかの選択をデバイス制御部１０３及び出力部１０２を介してユーザへ提示する（Ｓ１１１）。
【００６２】
ここで、ユーザが能力Ｂを用いたサービスへの切替を選択すると、通信端末１００ａは通信端末１００ｂとの間でＳＩＰの再ＩＮＶＩＴＥ手続きを行い、この手続きにおいて能力交換を行って、能力Ｂを持つ周辺機器Ｂを利用したサービスへの切替を決定する（Ｓ１１２）。
【００６３】
まず通信端末１００ａの全体制御部１０４は、ＩＮＶＩＴＥメッセージのボディ部に、自身が希望する新たなサービスの内容及びＰＡＮの変化により生じた自身の能力情報の変更内容を付記し、ネットワーク送受信部１０９を介して通信端末１００ｂに送信する（Ｓ１１３）。
【００６４】
このＩＮＶＩＴＥメッセージのデータ構成例を図１０（ａ）に示す。図１０（ａ）では、ＩＮＶＩＴＥメッセージのボディ部に、通信端末１００ａが、このセッションにおいて新たに確立することを要求するサービス（セッション使用能力）と、そのサービスにおいて通信端末１００aに使用するアドレス、つまり能力Bを持つ周辺機器B２００ａが受信に使用するアドレス／ポート番号（受信アドレス／ポート）、通信端末１００ａが現時点で使用可能な能力（使用可能能力）が付記されている。
【００６５】
これらの情報は、自端末情報１０５及び周辺機器情報１０６から取得可能である。これらの情報の内、使用可能能力については必ずしもこのメッセージにおいて付記されなくてもよい。付記しない場合には、ＩＮＶＩＴＥ手続きによる能力交換とは別に、能力情報変更通知を通信端末１００ｂへ送信することにより、自身の能力情報の変更を通知する。
【００６６】
次に、通信端末１００ａからのＩＮＶＩＴＥメッセージをネットワーク送受信部１０９を介して受信した通信端末１００ｂの全体制御部１０４は、ＩＮＶＩＴＥメッセージのボディ部に格納されている通信端末１００ａの新たな能力情報、つまりここでは通信端末１００ａの使用可能能力「能力Ａ、能力Ｂ、能力Ｃ」を取得する。そして、通信端末１００ｂの全体制御部１０４は、これをセッション情報１０７の相手使用可能能力に格納する。
【００６７】
また、通信端末１００ｂの全体制御部１０４は、このＩＮＶＩＴＥメッセージの内容から、新たに能力Ｂを用いたサービスの確立を要求されていることを判断する。そして、通信端末１００ｂの全体制御部１０４は、ユーザ２に能力Ｂを用いた通信に切替を行ってよいかどうかをデバイス制御部１０３及び出力部１０２を介して問い合わせる。ユーザ２がこれを許可した場合、若しくは自動的に切替を許可する設定になっている場合には、通信端末１００ｂの全体制御部１０４は、ＩＮＶＩＴＥメッセージに対する成功応答である２００ＯＫメッセージをネットワーク送受信部１０９を介して通信端末１００ａへ送信する（Ｓ１１４）。
【００６８】
この２００ＯＫメッセージのデータ例を図１０（ｂ）に示す。図１０（ｂ）では、２００ＯＫメッセージのボディ部に、通信端末１００ａから新たに使用を要求されたサービス（セッション使用能力）と、そのサービスにおいて通信端末１００ｂが使用するアドレス、つまり能力Ｂを持つ周辺機器Ｂ２００ｂが受信に使用するアドレス／ポート番号（受信アドレス／ポート）が付記されている。
【００６９】
また、通信端末１００ｂは、ユーザが能力Ｂを使ったサービスへの切替を許可しなかった場合、若しくは設定に基づき切替を拒否する場合には、成功応答の２００ＯＫではなく、ＳＩＰの拒否応答を送信することにより、通信端末１００ａの要求する、能力Ｂを使用したサービスへの切替を拒否することが可能である。
【００７０】
次に、通信端末１００ｂからの２００ＯＫメッセージをネットワーク送受信部１０９を介して受信した通信端末１００ａの全体制御部１０４は、通信端末１００ｂが能力Ｂを使ったサービスへの切替を受け入れたことを判断する。そして通信端末１００ａの全体制御部１０４はセッション情報１０７のセッション使用能力を「能力Ａ」から「能力Ｂ」へ変更し、通信端末１００ｂへＳＩＰの最終応答であるＡＣＫメッセージをネットワーク送受信部１０９を介して送信する（Ｓ１１５）。図１０（ｃ）に示すように、このＡＣＫメッセージはＳＩＰヘッダのみから構成される。
【００７１】
以上のような処理により、通信端末１００ａと通信端末１００ｂがＳＩＰによるセッションを確立したまま、ユーザは通信端末１００を用いたサービスから、周辺機器Ｂ２００ａと周辺機器Ｂ２００ｂの持つ能力Ｂを用いたサービスへの切替を行うことができる。
【００７２】
例えば、能力ＡがＧ．７１１等の音声コーデック、能力ＢがＭＰＥＧ等の動画コーデックであり、通信端末１００が携帯電話、周辺機器Ｂ２００ａと周辺機器Ｂ２００ｂがＰＣ端末であった場合、ユーザ１とユーザ２は、携帯電話を使用した音声通話から、ＰＣ端末を使用したテレビ電話への切替を行う、ということが考えられる。
【００７３】
（ユーザ１がＰＡＮ２に存在し、ユーザ２がＰＡＮ５へ移動した場合）
次に、ユーザ２（通信端末１００ｂ）が移動を行い（Ｓ１１８）、その移動の後に行われたサービス探索（Ｓ１１９、Ｓ１２０）により、通信端末１００ｂの全体制御部１０４は、近距離無線送受信部１０８を介して、ＰＡＮを構成する機器が変化して周辺機器Ｃ３００ｂが使用可能になったことを検知する。
【００７４】
図１では、このユーザ２の移動とＰＡＮの変化が、通信端末１００ｂのＰＡＮ４からＰＡＮ５への移動として示されている。通信端末１００ｂの全体制御部１０４は、この時のサービス探索により取得した周辺機器Ｃ２００ｂのアドレスや使用可能能力を含む能力情報を、周辺機器情報１０６に格納する。また、通信端末１００ｂの全体制御部１０４は、周辺機器Ｃ３００ａを利用することにより使用可能となる能力を自端末情報１０５の使用可能能力に追加格納する。
【００７５】
これにより、通信端末１００ｂの使用可能能力が「能力Ａ、能力Ｂ」から「能力Ａ、能力Ｂ、能力Ｃ」に変化する。このため、通信端末１００ａの全体制御部１０４は、通信端末１００ｂとの間で新たに確立可能となるサービスを決定する。
【００７６】
この時点で、通信端末１００ｂの全体制御部１０４は、セッション情報１０７から通信端末１００ｂの使用可能な能力が「能力Ａ、能力Ｂ、能力Ｃ」であることが分かる。そのため、通信端末１００ｂの全体制御部１０４は、通信端末１００ａとの間で、現在使用している能力Ｂによるサービス以外に、新たに能力Ｃによるサービスを確立することが可能になったと判断し、このサービスへの切替を行うかどうかをデバイス制御部１０３及び出力部１０２を介してユーザ２へ提示する（Ｓ１２１）。
【００７７】
ここで、通信端末１００ｂは、新たな確立可能となった能力Ｃによるサービス以外に、能力Ａによるサービスも通信端末１００ａとの間で確立可能である。このため、これも選択肢の１つとしてユーザ２へ一緒に提示してもよい。
【００７８】
ここで、ユーザ２がサービスの切替を行わないよう選択した、若しくは一定時間ユーザ２が選択を行わなかったものとする（Ｓ１２２）。この場合、通信端末１００ｂの全体制御部１０４は、自身の能力情報の変更、つまり能力Ｃが新たに使用可能となったことを通知するため、能力情報変更通知をネットワーク送受信部１０９を介して通信端末１００ａに送信する（Ｓ１２３）。
【００７９】
通信端末１００ｂからネットワーク送受信部１０９を介して能力情報変更通知を受信した通信端末１００ａの全体制御部１０４は、セッション情報１０７中の、相手使用可能能力を「能力Ａ、能力Ｂ」から「能力Ａ、能力Ｂ、能力Ｃ」へ変更する。この変更により、通信端末１００ａの全体制御部１０４は、通信端末１００ｂとの間で新たに能力Ｃによるサービスの確立が可能となることを判断し、このサービスへの切替を行うかどうかをデバイス制御部１０３及び出力部１０２を介してユーザ１へ提示する（Ｓ１２４）。
【００８０】
ここでユーザが能力Ｃを用いたサービスへの切替を選択したとする。この場合、通信端末１００ａは、Ｓ１１３〜Ｓ１１５と同様の処理により、通信端末１００ｂとの間でＳＩＰの再ＩＮＶＩＴＥ手続きを行う（Ｓ１２６〜Ｓ１２８）。
【００８１】
この手続きが成功すると、通信端末１００ａと通信端末１００ｂはＳＩＰによるセッションを確立したまま、ユーザ１とユーザ２は能力Ｂ、つまり周辺機器２００ａと周辺機器２００ｂを使用した通信から、能力Ｃ、つまり周辺機器３００ａと周辺機器３００ｂを使用した通信へ切り替え、新たなサービスを開始する。
【００８２】
次に、図１１と図１２はそれぞれ、新たな周辺機器が使用可能になった場合と、通信相手端末から能力情報変更通知を受け取った場合の通信端末１００内部の処理フローを示し、以下に説明する。
【００８３】
（ユーザ１がＰＡＮ２へ移動し、ユーザ２がＰＡＮ４に存在する場合）
図１に示すように、ユーザ１（通信端末１００ａ）がＰＡＮ１からＰＡＮ２への移動し、周辺機器Ｂ２００ａと周辺機器Ｃ３００ａを利用することが可能となった場合について説明する。
【００８４】
（図１１、新たな周辺機器が使用可能になった場合）
通信端末１００ａがＰＡＮ２への移動により近距離無線送受信部１０８は、近距離無線を用いて近隣の周辺機器Ｂ２００ａと周辺機器Ｃ３００ａの存在を検知し、通知を受けた全体制御部１０４が周辺機器Ｂ２００ａと周辺機器Ｃ３００ａを自端末情報１０５の使用可能能力に追加格納する（Ｓ２０１）。
【００８５】
次に、通信端末１００ａの自端末情報１０５の使用可能能力が「能力Ａ」から「能力Ａ、能力Ｂ、能力Ｃ」に変化するため、通信端末１００ａの全体制御部１０４は、通信端末１００ｂとの間で新たに確立可能となるサービスを決定する。ここで通信端末１００ａの全体制御部１０４は、セッション情報１０７から通信端末１００ｂの使用可能な能力が「能力Ａ、能力Ｂ」であることから、通信端末１００ｂとの間で新たに能力Ｂによるサービスを確立することが可能になったと判断する（Ｓ２０２のＹｅｓ）。
【００８６】
次に通信端末１００ａの全体制御部１０４は、能力Ｂを用いたサービスが新たに使用可能となったことをデバイス制御部１０３及び出力部１０２を介して、ユーザに提示する（Ｓ２０３）。ここでユーザがボタンの押下等に動作により新たなサービスへの切替を選択した場合（Ｓ２０４のＹｅｓ）には、通信端末１００ａの全体制御部１０４は入力部１０１及びデバイス制御部１０３を介してこれを検知する。
【００８７】
そして通信端末１００ａの全体制御部１０４は、ネットワーク送受信部１０９を介して、通信相手１００ｂとの間でサービスの切替を行うためのメッセージの交換を実施する（Ｓ２０６）。ここでは、ユーザが能力Ｂを用いたサービスへの切替を選択しなかったこととし（Ｓ２０４のＮｏ）、この場合には通信端末１００ａの全体制御部１０４は、ネットワーク送受信部１０９を介して、通信端末１００ｂに対して能力情報変更通知を送信し（Ｓ２０５）、能力Ｂ及び能力Ｃを使用可能となったことを通知する。
【００８８】
（図１２、通信相手端末から能力情報変更通知を受け取った場合）
ネットワーク受信部１０９を介して通信端末１００ａの送信した能力情報変更通知を受信した通信端末１００ｂの全体制御部１０４は、この能力情報変更通知の内容が通信端末１００ａの能力の追加を示すものであるのか、若しくは能力の削除を示すものであるのかを判断する（Ｓ２１１）。
【００８９】
能力の削除を示すものである場合（Ｓ２１１のＮｏ）には、通信端末１００ｂの全体制御部１０４は、この能力情報変更通知で指定された能力をセッション情報１０７の通信端末１００ｂの使用可能能力からこれを削除する（Ｓ２１２）。
【００９０】
ここでは能力情報変更通知が通信端末１００ａが新たに能力Ｂ及び能力Ｃを使用可能になったことを示すものであるため（Ｓ２１１のＹｅｓ）、通信端末１００ｂの全体制御部１０４は、能力Ｂ及び能力Ｃをセッション情報１０７の通信端末１００ａの使用可能能力へ追加格納する（Ｓ２１３）。これにより通信端末１００ａの使用可能能力が変化するため、通信端末１００ａの全体制御部１０４は通信端末１００ａとの間で新たに確立可能となるサービスが存在するかどうかの判断を行う（Ｓ２１４）。
【００９１】
ここで、通信端末１００ｂがＰＡＮ４に位置しているとすると、通信端末１００ｂの全体制御部１０４は、自端末情報１０５から自端末の使用可能能力が「能力Ａ、能力Ｂ」であることが分かる。また、セッション情報１０７の通信端末１００ａの使用可能能力が「能力Ａ、能力Ｂ、能力Ｃ」であることから、通信端末１００ｂの全体制御部１０４は、通信端末１００ａとの間で新たに能力Ｂによるサービスが確立可能となったことを判断する（Ｓ２１４のＹｅｓ）。
【００９２】
そして通信端末１００ｂの全体制御部１０４は、通信端末１００ａとの間で新たに能力Ｂによるサービスが可能となったことを、デバイス制御部１０３及び出力部１０２を介してユーザへ提示する（Ｓ２１５）。
【００９３】
ここでユーザがボタンの押下等の動作により、能力Ｂを用いたサービスへの切替を選択した場合（Ｓ２１６のＹｅｓ）、通信端末１００ｂの全体制御部１０４は、ネットワーク送受信部１０９を介して、通信端末１００ａとの間でサービスの切替を行うためのメッセージの交換を実施する（Ｓ２１７）。
【００９４】
以上、本実施形態のシステムの動作について説明した。本実施形態では、通信を行う通信端末１００ａと通信端末１００ｂがお互いに相手端末の能力情報を記憶しておき、ユーザの移動により利用可能なＰＡＮ内の周辺機器が変化した場合に、これを自端末の能力情報の変更として相手端末への通知を行う。これにより、自端末若しくは相手端末の能力情報が変化した場合に、新たに相手端末との間で確立可能なサービスを即時に決定することができ、ユーザがこれを選択することが可能になるという効果を有する。したがって、実際には利用不可能になっている通信サービスを選択し再度選択し直すといった無駄を防ぐことができる。
【００９５】
上記した実施の形態では、能力情報としてコーデックやアプリケーションの種別等の使用可能能力のみを扱ったが、それ以外に通信端末１００や周辺機器の画面サイズや画面解像度、ＣＰＵ処理能力等の端末のデバイス性能に関する情報を能力情報として用いてもよい。
【００９６】
例えば、通信端末１００と同じコーデックを使用可能で、より大きな画面サイズを持つ周辺機器が利用可能となった場合、これを自端末の能力情報の変更と判断し、ユーザへ切替選択の提示を行ったり、相手へ能力情報変更通知を送信する。この通知により、コーデックは同じだがより大きな画面サイズを用いたサービスへの切替を、自端末若しくは相手端末のユーザが選択することが可能となる。
【００９７】
また、能力情報の一部として、各使用可能能力の優先度や、各使用可能能力に対する予約の指定を相手端末へ通知する形態をとってもよい。具体的には、自端末の使用可能能力が複数ある場合に、それらに対して優先度情報を付与して相手端末へ通知することで、相手端末が行うサービスの決定において、より自端末のユーザの意思を反映させることができる。
【００９８】
また、ユーザの移動に伴って現時点で相手端末が使用不可能な能力を使用可能となった場合に、能力情報変更通知において、その使用可能能力を使ったサービスへの切替を予約する情報（周辺機器に対する利用予約）を付与して相手端末へ通知する。予約する情報の通知により、その能力を使用可能となった時点で、切替処理を発生させるように、相手端末に指示しておくことにより、すぐにその能力を使ったサービスへ切り替えることが可能となる。
【００９９】
また、上記した実施の形態では、ユーザの移動に伴う通信端末１００の使用可能な周辺機器の変化により能力情報の変更があった場合に、その内容を毎回相手端末へ通知を行う形態を取ったが、ある判断基準に基づき通知を行うかどうかを決定する（通知の可否を判断する）形態を取ってもよい。
【０１００】
例えば、新たな周辺機器が利用可能となった場合に、その機器を利用するかどうかをユーザに問い合わせる、若しくは設定に基づき利用するかどうかを判断することにより、その機器を利用しないことを決定した場合には、相手端末への能力情報変更通知を行わないこととしてもよい。
【０１０１】
また、上記した実施の形態では、実現可能なサービスが変化してユーザが切替を選択した場合にサービスを切り替える形態と取ったが、サービスの切替でなくサービスの追加を行う場合にも同様の処理を適用することができる。
【０１０２】
例えば、ユーザ１とユーザ２が通信端末１００を用いた音声通話を行っている状態から、両ユーザが同じ動画コーデックを持つディスプレイを使用可能になった場合に、音声通話は通信端末１００を用いて継続したまま、ディスプレイを使用した映像通信をサービスの追加として実現することが可能である。
【０１０３】
また、上記した実施の形態では、ＳＩＰセッションは通信端末１００ａと通信端末１００ｂ間で維持したまま、サービス確立の主体のみを通信端末１００から周辺機器へ、若しくは周辺機器間で切り替える形態を取ったが、サービスの切替と同時にＳＩＰセッションも切り替える形態を取ってもよい。ＳＩＰの転送手続きであるＲＥＦＥＲ手続きを利用することにより、ＳＩＰセッションの切替を実現することが可能である。
【０１０４】
以上説明したように、本発明は、通信相手端末との間で実現可能なサービスが変化した場合に、即時にユーザがこのサービスを選択することが可能になるという効果を有し、ユーザが通信を継続したまま使用するサービス・端末を切り替える端末切替システム等において有用である。ユーザの選択動作や能力交換の再試行の発生を防ぐことができ、切替完了までの時間を削減することができる。
【０１０５】
本発明を詳細にまた特定の実施態様を参照して説明したが、本発明の精神と範囲を逸脱することなく様々な変更や修正を加えることができることは当業者にとって明らかである。
本出願は、2005年2月2日出願の日本特許出願（特願2005−026687）に基づくものであり、その内容はここに参照として取り込まれる。
【産業上の利用可能性】
【０１０６】
本発明は、新たな通信サービスが利用可能となったときにユーザは即座にその通信サービスへの切替を選択することができる効果を有し、通信端末間で実現可能なサービスを決定するための技術等に有用である。
【図面の簡単な説明】
【０１０７】
【図１】本発明の実施の形態にかかる通信システムの概略構成を示す図
【図２】本発明の実施の形態にかかる通信端末の概略構成を示す図
【図３】本発明の実施の形態にかかるシステム全体の動作を示す図（１）
【図４】本発明の実施の形態にかかるシステム全体の動作を示す図（２）
【図５】本発明の実施の形態にかかるシステム全体の動作を示す図（３）
【図６】本発明の実施の形態にかかる通信端末の自端末情報のデータ例を示す図
【図７】本発明の実施の形態にかかる通信端末の周辺機器情報のデータ例を示す図
【図８】本発明の実施の形態にかかる通信端末のセッション情報のデータ例を示す図
【図９】本発明の実施の形態における能力情報変更通知のデータ例を示す図
【図１０】本発明の実施の形態にかかるＳＩＰメッセージのデータ構成例を示す図
【図１１】本発明の実施の形態にかかる通信端末の内部処理フローを示す図（１）
【図１２】本発明の実施の形態にかかる通信端末の内部処理フローを示す図（２）
【符号の説明】
【０１０８】
１００，１００ａ，１００ｂ  通信端末
１０１  入力部
１０２  出力部
１０３  デバイス制御部
１０４  全体制御部
１０５  自端末情報
１０６  周辺機器情報
１０７  セッション情報
１０８  近距離無線送受信部
１０９  ネットワーク送受信部
２００ａ，２００ｂ，３００ａ，３００ｂ  周辺機器
４００  ネットワーク
【図１】
0004754551.tif 000002
【図２】
0004754551.tif 000003
【図３】
0004754551.tif 000004
【図４】
0004754551.tif 000005
【図５】
0004754551.tif 000006
【図６】
0004754551.tif 000007
【図７】
0004754551.tif 000008
【図８】
0004754551.tif 000009
【図９】
0004754551.tif 000010
【図１０】
0004754551.tif 000011
【図１１】
0004754551.tif 000012
【図１２】
0004754551.tif 000013